(57)【特許請求の範囲】
【請求項１】
内装体と外箱との組合せを有する物品運送用梱包具であって、
内装体は、ベースボードと、抑えシートとを有し、
ベースボードは、梱包物品を定位置に支えるものであり、立上り部分と立ち下り部分とを有し、
立上り部分は、ベースボードの両側縁から上向きに、立下り部分は、ベースボードの両端縁から下向きにそれぞれ折り返され、立上り部分の上端は外箱の上底面、立下り部分の下端は、下底面にそれぞれ支持され、ベースボードを外箱の上下面から間隔をおいて保持させるものであり、
抑えシートは、両端がベースボードの端縁に固定され、ベースボード上の梱包物品の表面を覆い、立下り部分の折り曲げにより、緊張して梱包物品をベースボードに押付けて定着させるものであり、
内装体の立下り部分は、ベースボードに対し、抑えシートと共に９０゜以上の角度に折り曲げられ、ベースボードの下面に折り重ねて外箱の底に保持され、
外箱は、内装体に保持された梱包物品を収容して施蓋され、抑えシートの復元力で外箱の下底に押し付けられた立下り部と、立下り部分に作用する抑えシートの復元力をうけて外箱の上底に圧接された立上り部分を支えるものであることを特徴とする物品運送用梱包具。
【請求項２】
内装体は、個装体に保形された梱包物品を保持させるものであり、
個装体は、１枚のカバーボードを折り曲げ、その折返し縁をもって、運送すべき物品の表面を覆い、これを定型に保形するものであり、
個装体のカバーボードは、板面の中央領域に物品が載せられ、カバーボードの両端縁は、両端に耳部を残して物品の上面に折り返され、耳部は、両側縁が個装体の側方に張り出してベースボードの立上り部分に達し、前後外縁が内装体の立下り部分に達して内装体上での動きを阻止するものであることを特徴とする請求項１に記載の物品運送用梱包具。
【請求項３】
物品の上面に折り返されるカバーボードの折返し縁は、物品の両端縁から前後方向に張り出す張出し部分を有し、張出し部分は、抑えシートから押圧力を受け、開放された個装体内の物品の端面を覆って物品の横ずれを防止するものであることを特徴とする請求項２に記載の物品運送用梱包具。
【請求項４】
立下り部分に押え部分が付設され、押え部分は、立下り部分の折返し方向とは逆に折り返され、立上り部分の外面にあてがうことによって、立下り部の折返し形態を保形するものであることを特徴とする請求項１に記載の物品運送用梱包具。
【発明の詳細な説明】
【０００１】
【発明の属する技術分野】
本発明は物品、特に、ノートブックパソコン（以下ノート型パソコンという）の宅配便の梱包に用いる物品運送用梱包具に関する。
【０００２】
【従来の技術】
ノート型パソコンの普及にともない、ノート型パソコンの運送の必要性が飛躍的に増大している。最近では、ユーザからのノート型パソコンの修理、メモリ増設などの要求に対し、メーカの補修センターへの直接の持ち込みではなく、郵便或いは宅配便でのみ受付けるケースが見られる。
【０００３】
この様なケースでは、ユーザからメーカーへ発送されたノート型パソコンを修理、保守、補修した後、そのノート型パソコンをメーカからユーザに返送するときにも郵便或いは宅配便にて返送される。郵便或いは宅配便にてノート型パソコンを運送するにあたって、その梱包には、衝撃からノート型パソコンが充分に保護されるような対策が必要である。
【０００４】
ノート型パソコンの輸送に際し、メーカ側からユーザに輸送するに際しては、その梱包に充分な保護対策を講じ、あるいは、梱包の包装体を一定の品質に規格化することはもとより可能であるが、ユーザにとっては、梱包材料の用意が無く、専用のノート型パソコン運送用梱包具が提供されない限り、梱包に充分な保護対策を講ずることは必ずしも容易ではない。
【０００５】
そこでこのような要求に応ずるため、図５に示すノート型パソコン運送用梱包具が提供されている。このノート型パソコン運送用梱包具は、ダンボール紙製で上内装体２１と下内装体２２との組み合せを使用するものであり、上内装体２１及び下内装体２２は、それぞれ平面部２３と側壁部２４とを有し、平面部２３には、ノート型パソコンの形状を象った矩形の窓孔２５があけられ、その窓孔２５は、弾力性を有するウレタンシート２６で覆われている。
【０００６】
ノート型パソコンの梱包に際しては、上内装体２１及び下内装体２２の平面部２３，２３を向き合わせ、その間にノート型パソコンＰＣをはさんで外箱２７内に収容される。上内装体２１及び下内装体２２の側壁部２４の高さは、外箱２７のほぼ半分の高さに設定されている。
【０００７】
したがって、上内装体２１及び下内装体２２間にノート型パソコンＰＣをはさんで外箱２７内に収容したときには、上内装体２１及び下内装体２２は、外箱２７の高さに規制されて平面部２３，２３が互いに密着し、ノート型パソコンＰＣは、その上下面がウレタンシート２６に支えられて上内装体２１及び下内装体２２の平面部２３，２３に開けられた窓孔２５，２５内に嵌まり込む。上記ノート型パソコン運送用梱包具は、ウレタンシート２６，２６の有する緩衝作用によってノート型パソコンＰＣを運送時に外箱２７が受ける衝撃から保護しようというものである。
【０００８】
【発明が解決しようとする課題】
しかしながら、現実に、運搬中に衝撃を受けると、ウレタンシート２６の緩衝作用によってノート型パソコンＰＣが上下に振れ、その反動で、上内装体２１と、下内装体２２間に隙間が形成され、その隙間にノート型パソコンＰＣが乗り上げることがある。
【０００９】
一旦、ノート型パソコンＰＣが上内装体２１と下内装体２２との隙間に乗り上げてその位置で止まると、もはやウレタンシートの緩衝作用は、期待する事ができない。そればかりか、次に衝撃を受けたときには、上内装体２１と下内装体２２との隙間内をさらにずれてノート型パソコンＰＣの端が外箱２７に触れ、外箱２７が衝撃を受けた時に、外箱２７に作用した衝撃をノート型パソコンＰＣが直接うけて破損する危険がある。
【００１０】
上記のようなノート型パソコン運送用梱包具は、要するに上内装体２１及び下内装体２２を外箱２７内に完全に固定し、上内装体２１及び下内装体２２の平面部２３の窓孔２６内に張り渡されたウレタンシート２６、２６の緩衝作用のみによってノート型パソコンＰＣを上内装体２１及び下内装体２２に接触させることなく支えようという構想のものであるが、上内装体２１及び下内装体２２の材料にダンボール紙が用いられる限り、ダンボール紙の撓み、座屈、加工、組立て精度の影響もあって、上内装体２１と下内装体２２を外箱２７内に完全に固定することはできない。
【００１１】
本発明の目的は、物品、特にノート型パソコンの運送に際して、安定に保持して外部から作用する衝撃から有効に保護し得る運送用梱包具を提供することにある。
【００１２】
【課題を解決するための手段】
上記目的を達成するため、本発明による物品運送用梱包具においては、内装体と外箱との組合せを有する物品運送用梱包具であって、
内装体は、ベースボードと、抑えシートとを有し、
ベースボードは、梱包物品を定位置に支えるものであり、立上り部分と立ち下り部分とを有し、
立上り部分は、ベースボードの両側縁から上向きに、立下り部分は、ベースボードの両端縁から下向きにそれぞれ折り返され、立上り部分の上端は外箱の上底面、立下り部分の下端は、下底面にそれぞれ支持され、ベースボードを外箱の上下面から間隔をおいて保持させるものであり、
抑えシートは、両端がベースボードの端縁に固定され、ベースボード上の梱包物品の表面を覆い、立下り部分の折り曲げにより、緊張して梱包物品をベースボードに押付けて定着させるものであり、
内装体の立下り部分は、ベースボードに対し、抑えシートと共に９０゜以上の角度に折り曲げられ、ベースボードの下面に折り重ねて外箱の底に保持され、
外箱は、内装体に保持された梱包物品を収容して施蓋され、抑えシートの復元力で外箱の下底に押し付けられた立下り部と、立下り部分に作用する抑えシートの復元力をうけて外箱の上底に圧接された立上り部分を支えるものである。
【００１３】
また、内装体は、個装体に保形された梱包物品を保持させるものであり、
個装体は、１枚のカバーボードを折り曲げ、その折返し縁をもって、運送すべき物品の表面を覆い、これを定型に保形するものであり、
個装体のカバーボードは、板面の中央領域に物品が載せられ、カバーボードの両端縁は、両端に耳部を残して物品の上面に折り返され、耳部は、両側縁が個装体の側方に張り出してベースボードの立上り部分に達し、前後外縁が内装体の立下り部分に達して内装体上での動きを阻止するものである。
【００１５】
また、物品の上面に折り返されるカバーボードの折返し縁は、物品の両端縁から前後方向に張り出す張出し部分を有し、
張出し部分は、抑えシートから押圧力を受け、開放された個装体内の物品の端面を覆って物品の横ずれを防止するものである。
【００１６】
また、立下り部分に押え部分が付設され、
押え部分は、立下り部分の折返し方向とは逆に折り返され、立上り部分の外面にあてがうことによって、立下り部の折返し形態を保形するものである。
【００１７】
【発明の実施の形態】
以下に本発明の実施の形態を図によって説明する。図４において、本発明による物品運送用梱包具は、物品を直接包装する個装体１と、緩衝材を兼ねる内装体２との組合せからなり、その組み合わせを外箱３内に収容して物品Ｍを梱包するものである。
【００１８】
本発明において、梱包する物品Ｍは、ノート型パソコンであり、個装体１、内装体２および外箱３は、ダンボール紙によって作られたものである。
【００１９】
図３において、個装体１は、一枚のカバーボード４の前後両端の一定範囲を折り曲げ、その折返し縁５，５をもって、運送すべき物品Ｍの表面を覆い、これを定形に保形するものである。また、内装体２は、図１、２に示すように、ベースボード６と、抑えシート７との組を有し、個装体１を保持して外箱内に収容するものである。
【００２０】
図３（ａ）において、個装体１のカバーボード４は、ノート型パソコンを横置きに載置できる大きさの一枚のボードであり、長方形をなし、その長手方向の両側縁には、ボードの一部を切り起こしてノート型パソコンの上面を覆う折返し縁５を形成するための切欠き８が付され、また、切欠き８を境にして、折返し縁５の形成部分を除いて前後端縁に耳部９が形成される。
【００２１】
図３（ｂ）において、ノート型パソコンは、梱包物品Ｍとして、ボードの板面の中央領域に載せられ、図３（ｃ）、（ｄ）のように、切欠き８から両側の折返し縁５を起立させ、物品Ｍの長手方向両端縁の一部（張出し部分５ａ）を張り出させてその上面に折り返し、図３（ｅ）のように突き合わされた両折返し縁５，５間に跨って粘着テープ１０を張りつけて両折返し縁５，５を固定する。
【００２２】
図３（ｅ）において、折返し縁５，５の折り返しによって、ボードの両側縁に残された耳部９，９は、ボードの板面から側方に張り出したままにしておく。この部分は、両側縁が後述するように内装体２のベースボード６の立下り部分１１の基部に達し、且つ前後縁が内装体２の立上り部分１２の基部に達してベースボード６上での内装体１１の横ずれを阻止するためのものである。
【００２３】
図１（ａ）において、内装体２のベースボード６は、物品Ｍを保形する個装体１を上面に支えるものであり、板面の前後両端縁に立下り部分１１を有し、両側縁に立上り部分１２，１２を有するものである。
【００２４】
立下り部分１１、立上り部分１２は、いずれも長方形をなすベースボード６の両端縁および両側縁から一定の距離をおいてベースボードの板面に付された折り曲げ線１３、１４から先の部分である。両折り曲げ線１３，１４が交叉するベースボード６の隅の部分は、折り曲げ線１３に沿って切込線１５を付し、立上がり部分１２から分離させるとともに、立下り部分１３に、押さえ部分１６として付設する。押え部分１６は、後述するように立上り部分１２の外面にあてがう部分となる。
【００２５】
抑えシート７は、両端をベースボード６の前後端に固定した透明プラスチックシートである。図１（ｂ）に示すように、まず、両立下り部分１１，１１を最初やや上向きに折り返してベースボード６と、抑えシート７との間を開き、図１（ｃ）のように、両耳部９，９の前後端縁を立下り部分１１、１１に向きあわせてベースボード６と、抑えシート７との間に個装体１を差し込む。
【００２６】
ついで、図２（ｄ）において、両立下り部分１１，１１を、ベースボード６の端縁から下向きに折り返し、これをさらに９０゜以上の角度に折り曲げてベースボード６の下面に折り重ねる。
【００２７】
これによって、抑えシート７は、立下り部分１１に引っ張られて緊張し、個装体１をベースボード６上に圧着させると共に、個装体１の折返し縁５の張出し部分５ａを押付け、これを下向きに屈曲させ、その屈曲部分でノート型パソコンの端縁を押付けてノート型パソコンの横ずれを阻止し、これを定位置に保持させる。
【００２８】
立上り部分１２は、図２（ｅ）のようにベースボード６の両側縁から上向きに折り返し、さらに、押え部分１６をその両端外面にあてがって、図２（ｆ）のようにそのまま外箱３内にいれ、図４のように、外箱３を施蓋して梱包を完了する。
【００２９】
本発明において、ノート型パソコンを包んだ個装体１は、内装体２に支えられて外箱３内に格納されるが、内装体２の立上り部分１２および立下り部分１１は、ベースボード６の端縁部分の折り曲げによるため、復元力を保有し、特に立下り部分１１には、抑えシート７の緊張による強い復元力が働き、外箱３の下底を押付けてベースボード６の下に空間を形成し、立下り部分１２に作用する抑えシート７の復元力をもって、立上り部分１２は、外箱３の上底面に圧接される。
【００３０】
これによって、ベースボード６上の個装体１は、立下り部分１１の緩衝作用を受け、外箱３に保持される。個装体１の耳部９は、両端縁がベースボード６の前後の立下り部分１１，１１の基部に達して抑えシート７に抑えられ、また、耳部９の両側縁は、両側の立上り部分１２，１２の基部に達して外箱の内面に支えられるため、個装体１の横ずれが阻止され、これがベースボード６上で移動する余地はない。
【００３１】
抑えシート７は、必ずしもウレタンシートのように伸縮性に優れたシートを用いる必要はなく、立下り部分１１の折り曲げによる緊張に耐えるだけの強度を有していれば、ポリエチレンシートで充分である。
【００３２】
むしろ、抑えシート７に伸縮性に優れたシートを用いると、外部から衝撃を受けた時に、抑えシート７が伸縮性を有するが故に、ノート型パソコンを包む個装体１が抑えシート７の伸縮性に抗して内装体２内で動揺することにもなりかねない。
【００３３】
立下り部分１１に付設された押え部分１６は、立下り部分１１の折返し方向とは逆に折り返し、立上り部分１２の外面にあてがうことによって、立下り部分の折返し形態を保形して外箱内に容易に収納できる。
【００３４】
なお、図１、３中、Ａにて示す円形内部の線の方向は、ダンボール紙のフルートの方向を示している。ダンボール紙は、フルートに沿う方向は、相対的に弱い力で折り曲がるが、フルートに直交する方向に折り曲げるには、相対的に強い力を必要とする。個装体１では、図３（ａ）のようにカバーボード４の前後方向（両耳部９，９を結ぶ方向）にフルートの方向を設定して耳部９、特に図３（ｅ）に示す個装体１の両側方にはみ出す耳部９のはみ出し部分の強度を確保している。
【００３５】
また、内装体２については、図１（ａ）に示すようにフルートの方向をベースボード６の長手方向（両立下り部分１１，１１を結ぶ方向）に設定している。したがって、長手方向（両立上り部分１２，１２を結ぶ方向）に直交する方向の折り曲げ強度は大きい。
【００３６】
図２（ｅ）のように内装体２と個装体１とを組合わせたときには、内装体２のベースボード６のフルート方向と、個装体１のカバーボード４のフルート方向とが直交して梱包具としての強度が高まる。個装体、内装体の材料には、プラスチック段ボールを用いることができる。プラスチック段ボールを用いたときにも、フルート方向の設定要領は同じであるが、フルート方向がはっきりしない材料を用いるときには、もとよりボードの方向性は問題にはならない。
【００３７】
本発明は、ノート型パソコンの運送用梱包具として開発したものであるが、同様の形態の電子機器類の運送用梱包具にも適用できるのは云うまでもない。
【００３８】
【発明の効果】
以上のように、本発明においては、ノート型パソコンその他の物品を個装体で包み、個装体は、抑えシートでベースボード上に押付けて内装体に定着させ、さらに内装体の立上り部分と、立下り部分で支えて外箱内に収納する事により、輸送中に加えられるかもしれない衝撃から有効に保護できる効果を有する。
【図面の簡単な説明】
【図１】（ａ）〜（ｃ）は本発明の一実施形態を示すノート型パソコンの運送用梱包具の組立て手順の前段を示す図である。
【図２】（ｄ）〜（ｆ）は本発明の一実施形態を示すノート型パソコンの運送用梱包具の組立て手順の後段を示す図である。
【図３】本発明の物品運送用梱包具に用いる個装体にノート型パソコンを包装する要領を示す図である。
【図４】本発明による一実施形態を示す一部断面斜視図である。
【図５】物品運送用梱包具の従来例の一つを示す図である。
【符号の説明】
１  個装体
２  内装体
３  外箱
４  カバーボード
５  折返し縁
６  ベースボード
７  抑えシート
８  切欠き
９  耳部
１０  粘着テープ
１１  立下り部分
１２  立上り部分
１３，１４  折曲線
１５  切込み線
１６  押え部分
【図１】
0004395675.tif 000002
【図２】
0004395675.tif 000003
【図３】
0004395675.tif 000004
【図４】
0004395675.tif 000005
【図５】
0004395675.tif 000006